(57)【要約】【課題】誤操作を防止し、且つ、ユーザーが容易に操作可能な装置を提供すること。【解決手段】タッチパネル５１は、表示部４上に設けられており、少なくとも、表示部４より、筐体の右側面と反対側の左側面側に位置する検出エリア５１１を有する。ＳｏＣ２は、検出エリア５１１により、接触を検出した場合に、ボリュームノブ５３による操作を有効とし、検出エリア５１１により、接触を検出しなかった場合に、ボリュームノブ５３の操作を無効とする。【選択図】図２
2019061413.tif 000002
【特許請求の範囲】
【請求項１】
筐体と、
前記筐体の正面に設けられた表示部と、
前記筐体の一方の側面に設けられた操作子と、
前記表示部上に設けられたタッチパネルと、
制御部と、を備え、
前記タッチパネルは、少なくとも、前記表示部より、前記筐体の一方の側面と反対側の他方の側面側に位置する検出エリアを有し、
前記制御部は、
前記検出エリアにより、接触を検出した場合に、前記操作子による操作を有効とし、
前記検出エリアにより、接触を検出しなかった場合に、前記操作子の操作を無効とすることを特徴とする操作装置。
【請求項２】
前記制御部は、前記表示部及び前記タッチパネルをオフとしているときに、前記操作子の操作を受け付けた場合に、前記表示部及び前記タッチパネルをオンとすることを特徴とする請求項１に記載の操作装置。
【請求項３】
前記筐体の他方の側面に設けられた電源ボタンをさらに備え、
前記制御部は、前記電源ボタンにより、電源オンの操作を受け付けた場合に、前記タッチパネルのキャリブレーションを行うことを特徴とする請求項１又は２に記載の操作装置。
【請求項４】
前記操作子は、少なくとも、操作ノブ、操作ボタンのいずれかを含むことを特徴とする請求項１〜３のいずれか１項に記載の操作装置。
【請求項５】
前記タッチパネルは、前記表示部と重なっている表示エリアをさらに有し、
前記検出エリアは、前記表示部と重なっていないことを特徴とする請求項１〜４のいずれか１項に記載の操作装置。
【請求項６】
筐体と、
前記筐体の正面に設けられた表示部と、
前記筐体の一方の側面に設けられた操作子と、
前記表示部上に設けられたタッチパネルと、
制御部と、を備え、
前記タッチパネルは、少なくとも、前記表示部より、前記筐体の一方の側面と反対側の他方の側面側に位置する検出エリアを有する操作装置の制御プログラムであって、
前記制御部に、
前記検出エリアにより、接触を検出した場合に、前記操作子による操作を有効とさせ、
前記検出エリアにより、接触を検出しなかった場合に、前記操作子の操作を無効とさせるための操作装置の制御プログラム。
【発明の詳細な説明】
【技術分野】
【０００１】
本発明は、操作を行うための操作装置、及び、操作装置の制御プログラムに関する。
【背景技術】
【０００２】
例えば、携帯型の音楽再生プレーヤー（ＤＡＰ）には、図４に示すように、操作ノブ、操作ボタン等がある。ＤＡＰをポケット、カバン等に入れた状態では、他の物にあたって、操作ノブが回されたり、操作ボタンが押されたりして、誤操作となることがある。特許文献１に記載の装置においては、操作をロックするスイッチ（ホールドボタン）が設けられている。
【先行技術文献】
【特許文献】
【０００３】
【特許文献１】特開２００４−１３９６６１号公報
【発明の概要】
【発明が解決しようとする課題】
【０００４】
しかしながら、ユーザーは、ＤＡＰを本当に操作したいときに、スイッチにより、ロックを一旦解除してから、操作する必要があり、面倒である。
【０００５】
本発明の目的は、誤操作を防止し、且つ、ユーザーが容易に操作可能な装置を提供することである。
【課題を解決するための手段】
【０００６】
第１の発明の操作装置は、筐体と、前記筐体の正面に設けられた表示部と、前記筐体の一方の側面に設けられた操作子と、前記表示部上に設けられたタッチパネルと、制御部と、を備え、前記タッチパネルは、少なくとも、前記表示部より、前記筐体の一方の側面と反対側の他方の側面側に位置する検出エリアを有し、前記制御部は、前記検出エリアにより、接触を検出した場合に、前記操作子による操作を有効とし、前記検出エリアにより、接触を検出しなかった場合に、前記操作子の操作を無効とすることを特徴とする。
【０００７】
本発明では、制御部は、検出エリアにより、接触を検出した場合に、操作子の操作を有効とする。従って、ユーザーは、例えば、右側面に操作子があり、右手で装置を保持して、親指で操作子を操作する場合、人差し指で検出エリアに接触すれば、操作子の操作を有効にできるため、容易に操作を行うことができる。また、ユーザーは、例えば、左手で装置を保持して、人差し指で操作子を操作する場合、親指で検出エリアに接触すれば、操作子の操作を有効にできるため、容易に操作を行うことができる。また、制御部は、検出エリアにより、接触を検出しなかった場合に、操作子の操作を無効とする。これにより、誤操作が防止される。このように、本発明によれば、誤操作を防止し、且つ、ユーザーが容易に操作を行うことができる。
【０００８】
第２の発明の操作装置は、第１の発明の操作装置において、前記制御部は、前記表示部及び前記タッチパネルをオフとしているときに、前記操作子の操作を受け付けた場合に、前記表示部及び前記タッチパネルをオンとすることを特徴とする。
【０００９】
本発明では、制御部は、表示部及びタッチパネルをオフとしているときに、操作子の操作を受け付けた場合に、表示部及びタッチパネルをオンとする。これにより、制御部は、オンとなったタッチパネルの検出エリアにより、接触を検出することができる。
【００１０】
第３の発明の操作装置は、第１又は第２の発明の操作装置において、前記筐体の他方の側面に設けられた電源ボタンをさらに備え、前記制御部は、前記電源ボタンにより、電源オンの操作を受け付けた場合に、前記タッチパネルのキャリブレーションを行うことを特徴とする。
【００１１】
ユーザーが装置を保持している間、常に、ユーザーの指が検出エリアに掛かっているため、タッチパネルのキャリブレーションが正しく行えない可能性がある。このため、本発明では、操作子が設けられた一方の側面と反対側の他方の側面に電源ボタンが設けられている。そして、制御部は、電源ボタンにより、電源オンの操作を受け付けた場合に、タッチパネルのキャリブレーションを行う。ユーザーが電源をオンするとき、操作する指と装置を保持する指が入れ替われるため、検出エリアに指が掛かる可能性がなくなり、正常にタッチパネルのキャリブレーションを行うことができる。
【００１２】
第４の発明の操作装置は、第１〜第３のいずれかの発明の操作装置において、前記操作子は、少なくとも、操作ノブ、操作ボタンのいずれかを含むことを特徴とする。
【００１３】
第５の発明の操作装置は、第１〜第４のいずれかの発明の操作装置において、前記タッチパネルは、前記表示部と重なっている表示エリアをさらに有し、前記検出エリアは、前記表示部と重なっていないことを特徴とする。
【００１４】
第６の発明の操作装置の制御プログラムは、筐体と、前記筐体の正面に設けられた表示部と、前記筐体の一方の側面に設けられた操作子と、前記表示部上に設けられたタッチパネルと、制御部と、を備え、前記タッチパネルは、少なくとも、前記表示部より、前記筐体の一方の側面と反対側の他方の側面側に位置する検出エリアを有する操作装置の制御プログラムであって、前記制御部に、前記検出エリアにより、接触を検出した場合に、前記操作子による操作を有効とさせ、前記検出エリアにより、接触を検出しなかった場合に、前記操作子の操作を無効とさせる。
【発明の効果】
【００１５】
本発明によれば、誤操作を防止し、且つ、ユーザーが容易に操作を行うことができる。
【図面の簡単な説明】
【００１６】
【図１】本発明の実施形態に係るＤＡＰの構成を示すブロック図である。
【図２】本発明の実施形態に係るＤＡＰの外観を示す正面図である。
【図３】ボリューム調整に関するＤＡＰの処理動作を示すフローチャートである。
【図４】ＤＡＰの外観を示す斜視図である。
【発明を実施するための形態】
【００１７】
以下、本発明の実施形態について説明する。図１は、本発明の実施形態に係るデジタルオーディオプレーヤーの構成を示すブロック図である。デジタルオーディオプレーヤー（以下、「ＤＡＰ」という。）１は、ヘッドホン１０１にアナログオーディオデータを出力する。ヘッドホン１０１は、アナログオーディオデータに基づいて、音声を外部に出力する。
【００１８】
図１に示すように、ＤＡＰ１（操作装置）は、ＳｏＣ（System on Chip）２、記憶部３、表示部４、操作部５、Ｄ／Ａコンバーター（以下、「ＤＡＣ」という。）６、増幅器７、無線モジュール８、ＵＳＢインターフェース（以下、「ＵＳＢ  Ｉ／Ｆ」という。）９を備える。
【００１９】
ＳｏＣ２（制御部）は、ＣＰＵ（Central Processing Unit）、ＤＳＰ（Digital Signal Processor）、メモリ等を有し、ＤＡＰ１を構成する各部を制御する。記憶部３は、ＯＳプログラム、アプリケーションプログラム等のプログラム、デジタルオーディオデータ（コンテンツ）等の各種データを記憶するフラッシュメモリから構成されている。なお、記憶部３は、例示する構成に限られず、ＨＤＤ（Hard Disk Drive）等であってもよい。
【００２０】
表示部４は、種々の画像（静止画像、動画像を含む）を表示するものであり、液晶パネルにより構成されている。操作部５は、タッチパネル５１、電源ボタン５２を含む各種設定を行うための操作ボタン、ボリュームノブ５３等を備えている。タッチパネル５１は、表示部４と連動している。タッチパネル５１は、タッチ動作、及び、スライド動作等を受け付けるためのものである。ユーザーは、操作部５を介して、各種の文字入力、設定などを行うことが可能である。
【００２１】
ＳｏＣ２は、Ｉ２Ｓ形式のデジタルオーディオデータをＤＡＣ６に出力する。ＤＡＣ６は、デジタルオーディオデータをアナログオーディオデータにＤ／Ａ変換する。増幅器７には、ＤＡＣ６からのアナログオーディオデータが入力される。増幅器７は、ＤＡＣ６がＤ／Ａ変換したアナログオーディオデータを増幅し、ヘッドホン１０１に出力する。
【００２２】
無線モジュール１０は、Ｂｌｕｅｔｏｏｔｈ（登録商標）規格、Ｗｉ−Ｆｉ規格に従った無線通信を行うためのものである。ＵＳＢ  Ｉ／Ｆ１１は、ＵＳＢ規格に従った通信を行うためのものである。
【００２３】
図２は、本発明の実施形態に係るデジタルオーディオプレーヤーの外観を示す正面図である。ＤＡＰ１は、略直方体状の筐体２０１を備える。筐体２０１の左側面（他方の側面）には、電源ボタン５２が設けられている。筐体２０１の右側面（一方の側面）には、ボリュームノブ（操作子、操作ノブ）５３が設けられている。ボリュームノブ５３は、時計回り方向、反時計回り方向に回転可能である。
【００２４】
筐体２０１の正面には、略矩形の表示部４が設けられている。図２において、表示部４は、実線で示されている。表示部４上には、略矩形のタッチパネル５１が設けられている。タッチパネル５１は、検出エリア５１１と、表示エリア５１２と、を有する。検出エリア５１１は、少なくとも、表示部４より、筐体２０１の右側面（一方の側面）と反対側の左側面（他方の側面）側に位置する。言い換えれば、検出エリア５１１は、表示部４の左側において、表示部４と重なっていない領域である。図２において、検出エリア５１１は、破線で示されている。表示エリア５１２は、表示部４と重なっている領域である。図２において、表示エリア５１２は、実線で示されている。表示エリア５１２では、表示部４により画面が表示されるが、検出エリア５１２では、画面は表示されない。
【００２５】
ユーザーは、例えば、右手でＤＡＰ１を保持し、ボリュームノブ５３を操作する場合、手のひらでＤＡＰ１の背面を支え、人差し指を右側面から正面に掛け、親指でボリュームノブ５３を操作する。このとき、人差し指の先は、検出エリア５１１に接触する。ＳｏＣ２は、検出エリア５１１により、接触を検出した場合、ボリュームノブ５３による操作を有効とする。そして、ＳｏＣ２は、ボリュームノブ５３の操作に基づいて、ボリュームを調整する。また、ユーザーは、左手で保持し、ボリュームノブ５３を操作する場合、手のひらでＤＡＰ１の背面を支え、親指を左側面から正面に掛け、人差し指でボリュームノブ５３を操作する。このとき、親指の先は、検出エリア５１１に接触する。ＳｏＣ２は、検出エリア５１１により、接触を検出した場合、ボリュームノブ５３による操作を有効とする。そして、ＳｏＣ２は、ボリュームノブ５３の操作に基づいて、ボリュームを調整する。
【００２６】
一方で、ＳｏＣ２は、検出エリア５１１により、接触を検出しなかった場合に、ボリュームノブ５３の操作を無効とする。従って、ＳｏＣ２は、ボリュームノブ５３の操作に基づいて、ボリュームを調整しない。
【００２７】
ここで、ＳｏＣ２は、例えば、操作部５の操作が所定時間なかった場合、表示部４をオフとする。このとき、ＳｏＣ２は、タッチパネル５１もオフとする。この状態で、ＳｏＣ２は、ボリュームノブ５３の操作を受け付けた場合に、表示部４及びタッチパネル５１をオンとする。
【００２８】
また、ＳｏＣ２は、電源ボタン５２により、電源オンの操作を受け付けた場合に、タッチパネル５１のキャリブレーションを行う。
【００２９】
以下、ボリューム調整に関するＤＡＰ１の処理動作を図３に示すフローチャートに基づいて説明する。ＤＡＰ１の待機状態において、ＳｏＣ２は、ボリュームノブ５３の操作を受け付けたか否かを判断する（Ｓ１）。ＳｏＣ２は、ボリュームノブ５３の操作を受け付けていないと判断している間は（Ｓ１：Ｎｏ）、Ｓ１の処理を繰り返し実行する。ＳｏＣ２は、ボリュームノブ５３の操作を受け付けたと判断した場合（Ｓ１：Ｙｅｓ）、表示部４がオフであり、画面が表示されていないか否かを判断する（Ｓ２）。ここで、表示部４がオフの場合、ＳｏＣ２は、タッチパネル５１もオフしているため、タッチパネル５１がオフであるか否かを判断していることにもなる。ＳｏＣ２は、表示部４がオフであり、画面が表示されていないと判断した場合（Ｓ２：Ｙｅｓ）、表示部４をオンして、画面を表示し、タッチパネル５１をオンとする（Ｓ３）。
【００３０】
ＳｏＣ２は、表示部４がオンであり、画面が表示されていると判断した場合（Ｓ２：Ｎｏ）、又は、Ｓ３の処理の後、検出エリア５１１により、接触を検出しているか否かを判断する（Ｓ４）。ＳｏＣ２は、検出エリア５１１により、接触を検出していると判断した場合（Ｓ４：Ｙｅｓ）、ボリューム５３の操作を有効とし、ボリュームノブ５３の操作に基づいて、ボリュームを上下する（Ｓ５）。ＳｏＣ２は、検出エリア５１１により、接触を検出していないと判断した場合（Ｓ４：Ｎｏ）、ボリュームノブ５３の操作を無効とし、処理を終了して、待機状態に戻る。
【００３１】
以上説明したように、本実施形態では、ＳｏＣ２は、検出エリア５１１により、接触を検出した場合に、ボリュームノブ５２の操作を有効とする。従って、ユーザーは、右側面にボリュームノブ５２があり、右手でＤＡＰ２を保持して、親指でボリュームノブ５２を操作する場合、人差し指で検出エリア５１１に接触すれば、ボリュームノブ５２の操作を有効にできるため、容易に操作を行うことができる。また、ユーザーは、左手でＤＡＰ１を保持して、人差し指でボリュームノブ５２を操作する場合、親指で検出エリア５１１に接触すれば、ボリュームノブ５２の操作を有効にできるため、容易に操作を行うことができる。また、ＳｏＣ２は、検出エリア５１１により、接触を検出しなかった場合に、ボリュームノブ５２の操作を無効とする。これにより、誤操作が防止される。このように、本実施形態によれば、誤操作を防止し、且つ、ユーザーが容易に操作を行うことができる。
【００３２】
また、本実施形態では、ＳｏＣ２は、表示部４及びタッチパネル５１をオフとしているときに、ボリュームノブ５２の操作を受け付けた場合に、表示部４及びタッチパネル５１をオンとする。これにより、ＳｏＣ２は、オンとなったタッチパネル５１の検出エリア５１１により、接触を検出することができる。
【００３３】
ユーザーがＤＡＰ１を保持している間、常に、ユーザーの指が検出エリア５１１に掛かっているため、タッチパネル５１のキャリブレーションが正しく行えない可能性がある。このため、本実施形態では、ボリュームノブ５２が設けられた右側面と反対側の左側面に電源ボタン５３が設けられている。そして、ＳｏＣ２は、電源ボタン５３により、電源オンの操作を受け付けた場合に、タッチパネル５１のキャリブレーションを行う。ユーザーが電源をオンするとき、操作する指とＤＡＰ１を保持する指が入れ替われるため、検出エリア５１１に指が掛かる可能性がなくなり、正常にタッチパネル５１のキャリブレーションを行うことができる。
【００３４】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３５】
上述の実施形態においては、ボリュームノブ５２が筐体の右側面に、電源ボタン５３が筐体の左側面に、設けられている。これに限らず、ボリュームノブ５２が筐体２０１の左側面に、電源ボタン５３が筐体２０１の右側面に、設けられていてもよい。この場合、検出エリア５１１は、表示部４の右側に設けられる。
【００３６】
上述の実施形態においては、操作子として、ボリュームノブ５３を例示した。これに限らず、音量以外の調整を行うための操作ノブ、操作ボタン等であってもよい。
【００３７】
上述の実施形態においては、操作装置として機能する装置として、ＤＡＰを例示した。これに限らず、ＤＡＰ以外のスマートフォン、タブレットＰＣ等であってもよい。
【産業上の利用可能性】
【００３８】
本発明は、操作を行うための操作装置、及び、操作装置の制御プログラムに好適に採用され得る。
【符号の説明】
【００３９】
１  ＤＡＰ（操作装置）
２  ＳｏＣ（制御部）
４  表示部
５  操作部
５１  タッチパネル
５１１  検出エリア
５１２  表示エリア
５２  電源ボタン
５３  ボリュームノブ
２０１  筐体
【図１】
2019061413.tif 000003
【図２】
2019061413.tif 000004
【図３】
2019061413.tif 000005
【図４】
2019061413.tif 000006